(57)【要約】【課題】  火を使用しないことはもとより、工具のみで簡易な取り付け操作ができ、それでいて十分な強度の方杖などの補強部材の取付構造を提供する。【解決手段】  添板を一体に設けた補強部材を、柱及び／又は梁のフランジ部の両側に配設した一組のコの字状連結部材に、ボルトにより連設可能にした構造物における補強部材の取付構造。【選択図】      図３
2010043435.tif 000002
【特許請求の範囲】
【請求項１】
トラス構造やラーメン構造など構造物での補強部材の取付構造において、
前記補強部材の端部にはガセットプレートを介するか、介さずに直接添板を一体に設け、該添板と柱及び／又は梁のフランジ部の両側に配設した一組のコの字状連結部材とをボルトにより連結したことを特徴とする構造物における補強部材の取付構造。
【請求項２】
前記柱及び／又は梁のフランジ部と前記コの字状連結部材の隙間に、充填材を詰め込ませたことを特徴とする請求項１に記載の構造物における補強部材の取付構造。
【発明の詳細な説明】
【技術分野】
【０００１】
本発明は、トラス構造やラーメン構造等の構造物における方杖や火打ち等の補強部材の取付構造に関する。
【背景技術】
【０００２】
トラスやラーメンなどの構造物のコーナー部では、耐震性を高めるために方杖や火打ちなどの補強部材が配置されている。
そして、この補強部材の構造及び取付方法として、一般的なものに図４(a)，(b)，(c)に示される方杖５０がある。この方杖５０には、屋根梁５１（各階毎の梁の場合もある）と柱５２の補強部材として、スカラップ加工した略台形のＨ鋼材５３に添板５４を溶接したものをボルト・ナット５５で接合するもの等がある。なお、スチフナ５６は梁５１や柱５２の端部に生じる集中応力による局部破壊を防ぐために設けたものである。
【０００３】
また、構造物の鋼材に方杖や火打ちの補強部材の摩擦接合構造及び構造物耐震補強方法が下記特許文献１として提案されている。具体的には、その請求項１にも記載されているように、構造物の鋼材（下弦材ＬＣ）のフランジ部が第１添板１１と第２添板１２とで挟み込まれ、その第１と第２の添板は下弦材ＬＣの端部より突き出ており、その突出部に図８のスペーサ１３を配置し、前記第１と第２の添板とスペーサとに設けたボルト孔１６に高力ボルト１４とナット１５により摩擦接合するものである。
【特許文献１】特許第４０４２９９６号公報
【発明の開示】
【発明が解決しようとする課題】
【０００４】
しかしながら、前記添付図面の図４(a)，(b)，(c)に示す方杖構造は、柱５２や梁５１のフランジ部へＨ鋼材５３の添板５４を溶接したものを当てて高力ボルトで締付け接合するために、火気を用いるか、用いないまでも現場でのボルト孔の穴明け作業および、ボルト・ナットの締付け作業により部品や部材を落下させるなど作業上の危険があった。
【０００５】
また、前記従来特許は火気は使用しないものの、柱や梁を構成している下弦材ＬＣに方杖用ガセットＧに溶接した第２添板１２と第１添板１１及びその端部にあるスペーサ１３といった組立点数の多い部品を、図１１のように配置してから高力ボルト１４とナット１５で接合しなければならず、仮締めや本締めを含む組み立て作業が極めて煩雑であった。
【０００６】
本発明は、上記問題点を解決せんとするものであり、その目的は取り付け作業において火気を使用しないことはもちろん、現場での穴明け作業を必要とせず、スパナ等の簡易な工具により取り付けができ、それでいて十分な構造強度を保持する構造物である柱又は梁の補強部材の取付構造を提供せんとする。
【課題を解決するための手段】
【０００７】
本発明は、上記課題を解決するためになされたものであり、ガセットを介するか、介さずに直接添板を一体にした方杖や火打ちなどの補強部材と、柱や梁のフランジ部と該フランジ部に両側から挟み込む一組のコの字状連結部材と、前記添板と各コの字状連結部材間に連結したボルトからなり、またこれらをより完全に連結するには前記フランジ部とコの字状連結部材間に充填材を充填し、前記ボルトで添板とフランジを圧接して連結したことを特徴とする構造物における補強部材の取付構造を提供するものである。
【０００８】
上記柱や梁は、図３に示す二つのフランジからなる等辺山形鋼を用いても、図示していないウエブを介した上下フランジからなるＨ鋼を用いてもよい。また、梁や柱には図２に示すトラス構造であっても、図示していないラーメン構造を用いたものであってもよい。
【０００９】
補強部材を取り付けるには、柱及び／又は梁のフランジ部の両側から、一組のコの字状連結部材を嵌入したものに、方杖や火打ちとなる補強部材の端部か、その端部にガセットプレートを介したものに添板を当接状態で溶接したものを、前記添板に設けた複数の貫通孔か雌ネジに貫通又は螺通した複数のボルトで前記コの字状連結部材に設けた雌ネジに螺合して仮止めする。なお、前記添板をコの字状連結部材に螺着して仮止めしていた方が、本締め時にボルトを落下させる等の危険を防止することができる。
【００１０】
前記複数のボルトにより、補強部材に固定した添板をコの字状連結部材に仮止めした状態のもの、すなわち、コの字状連結部材と柱や梁のフランジ部との隙間と、コの字状連結部材の下側に相対する隙間に充填材を充填し、その後、前記仮止めしているボルトを螺入して先部をフランジ部の下側に圧接することで補強部材を柱又は梁のフランジ部に本締めする。
また、本発明は、補強部材の柱及び／又は梁への取付構造であるが、図２には梁側のみに施して、柱側には添板を溶接した従来工を用いたものを示す。
なお、本発明の充填材としては、ある程度の粘性を有して隙間充填性能があり、かつ強度と体積変化のないものを考えると、エポキシ樹脂系の接着剤が好ましい。
【発明の効果】
【００１１】
本発明の補強部材の取り付けは、コの字状連結部材を両側からフランジ部に配設し、補強材に一体に設けた添板に貫通又は螺通したボルトで、前記コの字状連結部材のネジに螺着することで補強部材を構造物に取り付ける。また、前記ボルトによる螺着の前にフランジとコの字状連結部材の間に充填材を充填することが構造物と補強部材との一体性を深めることになる。
【発明を実施するための最良の形態】
【００１２】
補強部材を構造物に連結するのに、構造物のフランジにコの字状連結部材を抱かせており、これに補強部材の添板に設置したボルトを締着することで、部品を落下させることなく、簡単な操作により施工を可能にした。
【実施例】
【００１３】
本発明の技術範囲は、特許請求の範囲に記載した主旨に基づくものであれば、以下の実施例に限定するものではない。
図１は、天井と側壁をトラス構造にしたもので、本発明のそのトラスの構造物のコーナー部分Ａが図２のコーナー部Ａの概略図として現わされる。
トラス構造からなる梁１は、山形鋼からなる上弦材１と下弦材１'との間に、それぞれの弦材１と１'に溶接した上束用ガセット４と下束用ガセット５間に垂直の束材２をそれぞれ鋲６と鋲７で固定し、また前記下束用ガセット５と上弦材１に柱主筋８を連結したコーナーガセット９との間にラチス材３をそれぞれの鋲１０と鋲１１で固定している。さらに、柱主筋８は内側の他に外側の柱主筋８'があり、各柱主筋８，８'間に水スチフナ１２がコーナーガセット９，９'と外側の柱主筋に設けた角ガセット１３，１３'間にそれぞれ架設している。
【００１４】
しかして、本発明の要部は下弦材１'と柱主筋８とを繋ぐコーナー部における補強部材、すなわち方杖１６の取付構造にあり、下弦材１'のフランジ部１４，１４'には、図２の矢印Ａから見た図３に示すように、コの字状連結部材１５，１５'をフランジ部１４，１４'の両側から嵌入している。このコの字状連結部材１５，１５'のそれぞれの下部には、該両部材１５，１５'の幅より短くて方杖１６の上端の幅よりも長い幅で、方杖の上端に溶接された添板１７がボルト１８，１８'により雌ネジ２２，２２'と雌ネジ２３，２３'で螺合している。
【００１５】
また、コの字状連結部材１５，１５'とフランジ部１４，１４'との間、及び相対して配置しているコの字状連結部材１５，１５'間にはエポキシ系樹脂である充填材１９が充填されている。なお、上記したフランジ部１４，１４'は山形鋼としての水平フランジを示し、その垂直フランジ２１，２１'間には前記した束材２を既存の技術で鋲２０打ちして接続している。
【００１６】
上記した本発明の構成の取付順序を説明すると、梁の下弦材として既存の山形鋼のフランジ部１４，１４'の両側からコの字状連結部材を差し込む。ついで、方杖１６に溶接した添板１７を、その添板１７に設けた貫通孔にある内雌ネジ２２，２２'に仮止めしたボルト１８，１８'により、前記コの字状連結部材１５，１５'を位置合せした雌ネジ２３，２３'に螺合することで、方杖１６と下弦材１'とを仮固定する。
この状態で、上方のコの字状連結部材１５，１５'と垂直フランジ２１，２１'間の隙間から充填材１９を圧入し、その後仮固定したボルト１８，１８'を螺入して水平フランジ１４，１４'の下端に圧接することで施工終了する。
【００１７】
なお、上記ではボルト１８，１８'を添板１７の雌ネジ２２，２２'に仮り止めした説明をしたが、添板にある雌ネジを単なる貫通孔として、ボルト１８，１８'をコの字状の雌ネジ２３，２３'に螺着することもできる。
また、上記実施例では、梁−柱間のコーナー部における方杖の上方における取付構造を説明したが、方杖の下方における取付構造にも本発明を適用することもできる。
さらに、本実施例のコーナー部における方杖の実施例の他に、図示していない火打ちにも本発明を実施することもできる。
【産業上の利用可能性】
【００１８】
本発明によれば、構造物の補強部材を取り付ける構造において、方杖などの補強部材の端部に設けた添板を、フランジの両側に嵌合したコの字状連結部材に、ボルト連結により、補強部材を構造物に固定することで、火を用いることなく、簡易な作業で補強部材の取り付けを適用できるようにした。
【図面の簡単な説明】
【００１９】
【図１】トラス構造における本発明の実施例の適用箇所を示す概略図である。
【図２】図１の要部拡大図である。
【図３】図２における矢印Ａ側から見たＡ−Ａ'縦断面図である。
【図４】柱−梁のコーナー部での従来の方杖の取付例を示す。
【符号の説明】
【００２０】
１'  トラス構造をした梁の下弦材
２  束材
８  柱主筋
１４，１４'  下弦材の山形鋼のフランジ
１５，１５'  コの字状連結部材
１６  方杖（補強部材）
１７  添板
１８，１８'  ボルト
２３，２３'  雌ネジ
１９  充填材
【図１】
2010043435.tif 000003
【図２】
2010043435.tif 000004
【図３】
2010043435.tif 000005
【図４】
2010043435.tif 000006